(57)【要約】【課題】別途の部品を必要としないで光源点灯装置を器具本体に取り付けることができ、且つ、光源点灯装置の位置ずれを低減した照明器具を提供する。【解決手段】回路基板１１を保持したケース１０の側板部１２ｂに設けられた第１突出部３ａを、器具本体２に設けられた第１係止部３ｂで係止することでケース１０を器具本体２に係止する。ケース１０をスライド移動させて器具本体２の表面に係止するために必要な部位がケース１０及び器具本体２に形成されているため、ケース１０を器具本体２に取り付ける際に別途の部品を必要としない。また、ケース１０に設けられた第２突出部４ａの穴４ｄが器具本体２に設けられた突出部４ｃに嵌合することで、スライド方向においてケース１０が位置決めされるから、ケース１０の位置ずれを低減できる。【選択図】図１
2014127350.tif 000002
【特許請求の範囲】
【請求項１】
光源を点灯させるための点灯回路がケース内に保持された光源点灯装置と、
施工面への取り付け面と反対側の表面に、前記表面に沿ってスライド移動させた前記ケースを保持する保持部が設けられた器具本体と、を備え、
前記ケースには、スライド方向に沿う２つの側面の各々に側方に突出する第１突出部と、前記スライド方向の一端側に前記スライド方向に突出する第２突出部が設けられ、
前記保持部は、前記第１突出部の各々に対応し、前記器具本体の前記表面に並行し、且つ、ケースの幅寸法に対応した間隔で対向するように設けられ、前記器具本体の前記表面との間に挿入された前記第１突出部及び前記ケースの側面に当接する前記第１突出部を係止する第１係止部と、
前記器具本体の前記表面に並行して設けられ、前記器具本体の前記表面との間に挿入された前記第２突出部に当接することによって前記第２突出部を係止する第２係止部と、
前記器具本体の前記表面と並行する前記第２係止部の部位と対向して前記器具本体に設けられ、前記第２突出部に設けられた穴と嵌合する突出部と、を備えることを特徴とする照明器具。
【請求項２】
光源を点灯させるための点灯回路がケース内に保持された光源点灯装置と、施工面への取り付け面と反対側の表面に、前記表面に沿ってスライド移動させた前記ケースを保持する保持部が設けられた器具本体と、を備え、
前記ケースには、前記スライド方向に沿う２つの側面のうち一方の側面に側方に突出する第１突出部と、前記スライド方向の一端側に前記スライド方向に突出する第２突出部とが設けられ、
前記保持部は、
前記器具本体の前記表面から突出し、前記ケースの前記スライド方向に沿う他方の側面に接触する側壁と、
前記第１突出部に対応し、前記器具本体の前記表面に並行し、且つ、前記ケースの幅寸法に対応した間隔で前記側壁と対向するように設けられ、前記器具本体の前記表面との間に挿入された前記第１突出部及び前記ケースの側面に当接する第１係止部と、
前記器具本体の前記表面に並行して設けられ、前記器具本体の前記表面との間に挿入された前記第２突出部に当接することによって前記第２突出部を係止する第２係止部と、
前記器具本体の前記表面と並行する前記第２係止部の部位と対向して前記器具本体に設けられ、前記第２突出部に設けられた穴と嵌合する突出部と、
を備えることを特徴とする照明器具。
【請求項３】
前記側壁は、前記器具本体の一部を、前記スライド方向に沿って、前記器具本体の前記表面と直交するように折り曲げて形成された壁からなることを特徴とする請求項２記載の照明器具。
【請求項４】
前記第１係止部は、前記スライド方向に沿って複数設けられることを特徴とする請求項１乃至３の何れか１項に記載の照明器具。
【請求項５】
ケースは、
前記器具本体の前記表面と反対側の面が開口して、前記器具本体の前記表面に載置されるボディと、
前記ボディの前記開口を覆う覆い部及び前記覆い部の前記スライド方向に沿う側縁から前記器具本体側に突出する側板部を有して、前記ボディに取り付けられるカバーを備え、
前記第１突出部は、前記カバーの前記側板部の先端がロール状に折り曲げられた折り曲げ部分で構成され、
前記第１係止部は、前記器具本体の一部が前記スライド方向に沿って切り起こされ、且つ、前記切り起こされた部位の先端が前記ケース側に向かってロール状に折り曲げられた折り曲げ部分で構成され、
第２係止部は、前記器具本体の一部が前記スライド方向と直交する方向に沿って切り起こされ、且つ、前記器具本体の前記表面と並行するように折り曲げられた折り曲げ部分で構成されることを特徴とする請求項１乃至４の何れか１項に記載の照明器具。
【発明の詳細な説明】
【技術分野】
【０００１】
本発明は、照明器具に関するものである。
【背景技術】
【０００２】
従来、天井に埋め込まれた状態で施工される器具本体と、器具本体の表側に取り付けられる安定器と、安定器を覆うようにして器具本体に取り付けられる反射板とを備える照明器具があった（例えば特許文献１参照）。この安定器は別途の部品を使用して器具本体に取り付けられていた。
【先行技術文献】
【特許文献】
【０００３】
【特許文献１】特開２００４−２３４９６６号公報
【発明の概要】
【発明が解決しようとする課題】
【０００４】
上記特許文献１には、安定器を器具本体に取り付ける方法として、安定器のケースに設けられた孔に表側から通したビスを器具本体のねじ孔にねじ込むことによって、安定器を取り付ける方法が開示されていた。この取り付け方法では、メンテナンスなどで安定器を交換するために作業者はビスを外さなければならず、外したビスを落としたり紛失したりする可能性があった。
【０００５】
また、上記特許文献１には、器具本体および安定器の孔に裏側から挿入されたビスにナットを表側からねじ込むことで、安定器を器具本体に取り付ける方法も開示されていた。この場合、安定器を交換するために作業者がナットを取り外したとき、ビスが器具本体の孔から裏側へ抜け外れてしまうことがある。この場合、作業者は器具本体を天井等の施工箇所から一度取り外し、ビスを裏側から器具本体の孔に挿入し直さなければ安定器を再び取り付けることができないという問題があった。
【０００６】
また、上記特許文献１には、器具本体の表側に設けた帯板状部材で安定器を挟持することで、安定器を器具本体に取り付ける方法も開示されていた。この取り付け方法では、照明器具が振動した際に安定器が基板から長手方向にずれることがあるという問題があった。
【０００７】
本発明は上記課題に鑑みて為されたものであり、その目的とするところは、別途の部品を必要としないで光源点灯装置を器具本体に取り付けることができ、且つ、光源点灯装置の位置ずれを低減した照明器具を提供することにある。
【課題を解決するための手段】
【０００８】
第１の発明は、光源を点灯させるための点灯回路がケース内に保持された光源点灯装置と、施工面への取り付け面と反対側の表面に、前記表面に沿ってスライド移動させた前記ケースを保持する保持部が設けられた器具本体と、を備える。前記ケースには、スライド方向に沿う２つの側面の各々に側方に突出する第１突出部と、前記ケースには、前記スライド方向の一端側に前記スライド方向に突出する第２突出部とが設けられる。前記保持部は第１係止部と第２係止部と突出部とを備える。第１係止部は、前記第１突出部の各々に対応し、前記器具本体の前記表面に並行し、且つ、ケースの幅寸法に対応した間隔で対向するように設けられ、前記器具本体の前記表面との間に挿入された前記第１突出部及び前記ケースの側面に当接する前記第１突出部を係止する。第２係止部は、前記器具本体の前記表面に並行して設けられ、前記器具本体の前記表面との間に挿入された前記第２突出部に当接することによって前記第２突出部を係止する。突出部は、前記器具本体の前記表面と並行する前記第２係止部の部位と対向して前記器具本体に設けられ、前記第２突出部に設けられた穴と嵌合する。
【０００９】
第２の発明は、光源を点灯させるための点灯回路がケース内に保持された光源点灯装置と、施工面への取り付け面と反対側の表面に、前記表面に沿ってスライド移動させた前記ケースを保持する保持部が設けられた器具本体と、を備える。前記ケースには、前記スライド方向に沿う２つの側面のうち一方の側面に側方に突出する第１突出部と、前記ケースには、前記スライド方向の一端側に前記スライド方向に突出する第２突出部とが設けられる。前記保持部は第１係止部と第２係止部と突出部とを備える。第１係止部は、前記器具本体の前記表面から突出し、前記ケースの前記スライド方向に沿う他方の側面に接触する側壁を備え、前記第１突出部に対応し、前記器具本体の前記表面に並行し、且つ、前記ケースの幅寸法に対応した間隔で前記側壁と対向するように設けられる。第１係止部は、前記器具本体の前記表面との間に挿入された前記第１突出部及び前記ケースの側面に当接する。第２係止部は、前記器具本体の前記表面に並行して設けられ、前記器具本体の前記表面との間に挿入された前記第２突出部に当接することによって前記第２突出部を係止する。突出部は、前記器具本体の前記表面と並行する前記第２係止部の部位と対向して前記器具本体に設けられ、前記第２突出部に設けられた穴と嵌合する。
【００１０】
上記の照明器具において、前記側壁は、前記器具本体の一部を、前記スライド方向に沿って、前記器具本体の前記表面と直交するように折り曲げて形成された壁からなることも好ましい。
【００１１】
上記の照明器具において、前記第１係止部は、前記スライド方向に沿って複数設けられることも好ましい。
【００１２】
上記の照明器具において、ケースは、ボディとカバーを備える。ボディは、前記器具本体の前記表面と反対側の面が開口して、前記器具本体の前記表面に当接する。カバーは、前記ボディの前記開口を覆う天板及び前記天板の前記スライド方向に沿う側縁から前記器具本体側に突出する側板を有して、前記ボディに取り付けられる。前記第１突出部は、前記カバーの前記側板の先端がロール状に折り曲げられた折り曲げ部分で構成される。前記第１係止部は、前記器具本体の一部が前記スライド方向に沿って切り起こされ、且つ、前記切り起こされた部位の先端が前記ケース側に向かってロール状に折り曲げられた折り曲げ部分で構成される。第２係止部は、前記器具本体の一部が前記スライド方向と直交する方向に沿って切り起こされ、且つ、前記器具本体の前記表面と並行するように折り曲げられた折り曲げ部分で構成されることも好ましい。
【発明の効果】
【００１３】
第１の発明によれば、スライド方向に沿うケースの２つの側面に各々設けられた第１突出部を、器具本体に設けられた第１係止部で係止することでケースを器具本体に係止する。ケースをスライド移動させて器具本体表面に係止するために必要な部位がケース及び器具本体に形成されているため、ケースを器具本体に取り付ける際に別途の部品を必要としない。また、ケースに設けられた第２突出部の穴が器具本体に設けられた突出部に嵌合することで、スライド方向においてケースが位置決めされるから、ケースの位置ずれを低減できる。
【００１４】
第２の発明によれば、器具本体に側壁を設けることにより、スライド方向に沿うケースの２つの側面のうち一方の側面に第１突出部を設けるだけでよい。第１突出部を器具本体に設けられた第１係止部で係止し、ケースの他方の側面を側壁に当接させることでケースを器具本体の表面に係止する。ケースを器具本体表面に係止するために必要な部位がケース及び器具本体に形成されているため、ケースを器具本体に取り付ける際に別途の部品を必要としない。また、ケースに設けられた第２突出部の穴が器具本体に設けられた突出部に嵌合することで、スライド方向においてケースが位置決めされるから、ケースの位置ずれを低減できる。
【図面の簡単な説明】
【００１５】
【図１】実施形態１の照明器具の斜視図である。
【図２】（ａ）は同上の平面図、（ｂ）は同上のＡ−Ａ断面図である。
【図３】同上の側面図である。
【図４】同上の照明器具を示し、第１係止部が複数設けられた場合の斜視図である。
【図５】実施形態２の照明器具を示し、（ａ）は平面図、（ｂ）は側面図である。
【発明を実施するための形態】
【００１６】
（実施形態１）
以下、本実施形態の照明器具について図１〜図３に基づいて説明する。尚、以下の説明では図３に示す向きを基準として上下左右の方向を規定し、図２（ａ）における左右方向を前後方向として説明するが、この方向は説明の便宜上定義するものであり、実際の使用状態での方向を上記の方向に限定するものではない。例えばこの照明器具が天井材の下面に取り付けられた状態では、図３の上側が施工状態での下側、図３の下側が施工状態での上側となる。
【００１７】
照明器具は、図１に示すように、例えば蛍光ランプやＬＥＤランプからなる光源（図示せず）を点灯させるための光源点灯装置１と、光源及び光源点灯装置１を保持する器具本体２とを備える。
【００１８】
器具本体２は、前後方向に細長い平板状に形成され、例えば天井面に取り付けられる。器具本体２には、施工状態における下面（すなわち施工面への取り付け面と反対側の表面）に、光源及び光源点灯装置１が取り付けられ、下方の空間に光源の光が照射される。
【００１９】
光源点灯装置１は、光源を点灯させるための点灯回路の回路部品が実装された回路基板１１と、回路基板１１を収納するケース１０とを備える。
【００２０】
ケース１０は各々金属板をプレス加工して形成されたカバー１２及びボディ１３を嵌合させることによって一体的に構成される。
【００２１】
ボディ１３は底板１３ａと一対の側板１３ｂを備えている。底板１３ａは前後方向に長い矩形板状に形成される。側板１３ｂは、底板１３ａの長手方向に沿う左右両側縁から上側に各々突出する。側板１３ｂは、例えば底板１３ａの両側の側縁部を、長手方向に沿って底板１３ａと直交するように折り曲げて形成される。このようにボディ１３は、底板１３ａと側板１３ｂとで前後方向から見た形状がＵ形に形成され、上側及び前後両側に開放されている。底板１３ａの上側には、底板１３ａと並行するように回路基板１１が、例えばねじ固定などの方法で取り付けられている。底板１３ａの前後方向（長手方向）における一端側の端部は第２突出部４ａとなり、第２突出部４ａには左右方向の中央に穴４ｄが形成されている。尚、図２（ａ）に示すように、穴４ｄの形状は、一辺が底板１３ａの端縁と平行な三角形状に形成されているが、穴４ｄの形状は後述する突出部４ｃと嵌合する形状であれば、適宜の形状でよい。
【００２２】
カバー１２は、ボディ１３の上側の開口を覆う覆い部１２ａと、左右の側板部１２ｂとを一体に備えている。覆い部１２ａはボディ１３の底板１３ａと並行するように配置される平板部１２ｄと、平板部１２ｄの左右両側縁から斜め下向きに突出する傾斜部１２ｅとで、前後方向から見た形状が逆Ｕ形に形成されている。また、カバー１２には、覆い部１２ａの前後方向における両端部を部分的に塞ぐ側板１２ｃが設けられ、側板１２ｃによりケース１０の前後方向からケース１０内部に異物が入りにくくしている。側板部１２ｂは、覆い部１２ａの左右両側縁から各々下側に向かって突出し、側板１３ｂの外側に配置される。側板部１２ｂの先端部には、前後方向の他端側（第２突出部４ａと反対側）から下向きに突出する帯状の部位が一体に設けられ、この帯状の部位をケースの外側方向にロール状に折り曲げることによって第１突出部３ａが形成される。第１突出部３ａにおいてロール状に折り曲げられた部位の上端はボディ１３の底面と平行になるように形成されている。尚、２個の第１突出部３ａはスライド方向において同じ位置に設けられているが、スライド方向において位置をずらして設けてもよい。
【００２３】
一方、器具本体２の表面には、表面に沿ってスライド移動させたケース１０を保持する保持部として、２個の第１係止部３ｂと、第２係止部４ｂと、突出部４ｃとが設けられている。２個の第１係止部３ｂは、ケース１０の幅寸法（左右方向の寸法）に対応した間隔で対向するように器具本体２に設けられている。第１突出部３ａが第１係止部３ｂに係止された状態で、第２突出部４ａに対応する位置に第２係止部４ｂが設けられ、第２係止部４ｂに対応する位置に突出部４ｃが設けられている。
【００２４】
第１係止部３ｂは、器具本体２の一部が長手方向に沿って切り起こされ、その切り起こされた部位の先端がケース１０側に向かってロール状に折り曲げて形成される。第１係止部３ｂにおいてロール状に折り曲げられた部位の下端は器具本体２の表面と平行になるように形成されている。２個の第１係止部３ｂはスライド方向において同じ位置に設けられているが、第１突出部３ａがスライド方向において位置をずらして設けられている場合には、第１突出部３ａに対応する位置に各々第１係止部３ｂを設ける。ここで、図１では、切り起こされた形状が台形状になっているが、ロール状に折り曲げることができる適宜の形状に切り起こしてよい。尚、第１係止部３ｂは、器具本体２と別体に形成された部材を溶接や接着やねじ止め等の方法で器具本体２に固定してもよい。
【００２５】
第２係止部４ｂは、図２（ｂ）に示すように、器具本体２の一部を長手方向と直交する方向に沿って切り起し、切り起こした部位の先端側が器具本体２の表面と並行するようにＣ−Ｄ矢印線の方向に折り曲げて形成される。第２係止部４ｂは板状に形成されているが、第２突出部４ａを器具本体２の表面に係止できる適宜の形状でよい。また、図２（ｂ）では、切り起こした後に滑らかに曲げて折り曲げ部を形成しているが、器具本体２の表面との間隔が第２突出部４ａの厚さと同じになるように折り曲げることができる適宜の形状でよい。尚、第２係止部４ｂは、器具本体２と別体に形成された部材を溶接や接着やねじ止め等の方法で器具本体２に固定してもよい。
【００２６】
突出部４ｃは、第２係止部４ｂにおいて器具本体２の表面と並行する部位と対向する器具本体２の部位の一部を第２係止部４ｂ側に突き出して形成される。図２（ａ）では、突出部４ｃは角の丸い三角形状に形成されているが、穴４ｄに嵌合する適宜の形状でよい。尚、突出部４ｃは、器具本体２と別体に形成された弾性変形する部材を溶接や接着やねじ止め等の方法で器具本体２に固定してもよい。
【００２７】
ここでケース１０を器具本体２に取り付ける方法を説明する。器具本体２の上面にケース１０を載せ、第２突出部４ａ側から第１係止部３ｂの間にケース１０を挿入し、器具本体２の長手方向に沿ってケース１０をスライド移動させる。ケース１０を所定の取り付け位置までスライド移動させると、第１突出部３ａは、第１係止部３ｂと器具本体２の表面との間に挿入される。このとき、２個の第１係止部３ｂの各々がケース１０の側板部１２ｂに当接してケース１０の左右方向の位置を規制するとともに、第１突出部３ａに上側から当接してケース１０の上下方向の位置を規制する。
【００２８】
また、第２突出部４ａの端部が第２係止部４ｂ及び突出部４ｃに接触する。このとき第２係止部４ｂ及び突出部４ｃが第２突出部４ａの端部に押されて弾性変形することで互いの間隔が押し広げられ、第２突出部４ａが第２係止部４ｂと器具本体２の表面との間に進入する。第２突出部４ａに設けられた穴４ｄに突出部４ｃが嵌合する位置まで第２突出部４ａが進入すると、第２係止部４ｂ及び突出部４ｃが変形前の状態に戻り、突出部４ｃが穴４ｄに嵌合することで、ケース１０の前後方向の位置が規制される。また、第２係止部４ｂが第２突出部４ａに当接することでケース１０の上下方向の位置が規制される。
【００２９】
ところで、光源点灯装置１の種類によってケース１０の長手方向の長さが異なる場合がある。そこで、長さの異なる複数のケース１０が取り付け可能なように、２個で１組の第１係止部３ｂをスライド方向に並べて複数組設けてもよい。図４に示す形態では２種類のケース１０に対応して２個で１組の第１係止部３ｂが２組設けられている。各組の第１係止部３ｂと第２係止部４ｂの間隔は、対応するケース１０における長手方向の長さ寸法に応じて設定されている。ここで、２種類のケース１０のうち、第２突出部４ａから第１突出部３ａまでの距離が相対的に短いケース１０を短尺ケースとし、短尺ケースよりも第２突出部４ａから第１突出部３ａまでの距離が相対的に長いケース１０を長尺ケースとする。例えば短尺ケースを器具本体２に係止する場合は、２組の第１係止部３ｂのうち第２係止部４ｂから相対的に近い第１係止部３ｂが第１突出部３ａと係止する。長尺ケースを器具本体２に係止する場合は、２組の第１係止部３ｂのうち第２係止部４ｂから相対的に遠い第１係止部３ｂが第１突出部３ａと係止する。この２組の第１係止部３ｂによって、短尺ケース又は長尺ケースのいずれであっても、器具本体２の表面に沿ってケースをスライド移動させることで、光源点灯装置１を器具本体２の表面に係止することができる。尚、図４では２種類のケースに対応させるために２組の第１係止部３ｂを器具本体２の表面に設けているが、３種類以上のケースに対応させるために３組以上の第１係止部３ｂを器具本体２の表面に設けてもよい。
【００３０】
このように、本実施形態では、スライド方向に沿うケース１０の２つの側板部１２ｂにそれぞれ設けられた第１突出部３ａを、器具本体２に設けられた第１係止部３ｂで係止することでケース１０を器具本体２に係止する。ケース１０をスライド移動させて器具本体２の表面に係止するために必要な部位がケース１０及び器具本体２に形成されているため、ケース１０を器具本体２に取り付ける際に別途の部品を必要としない。また、ケース１０に設けられた第２突出部４ａの穴４ｄが器具本体２に設けられた突出部４ｃに嵌合することで、スライド方向においてケース１０が位置決めされるから、ケース１０の位置ずれを低減できる。
【００３１】
第１突出部３ａは、側板部１２ｂの先端をロール状に折り曲げて形成される。第１係止部３ｂは、器具本体２の一部をスライド方向に沿って切り起してロール状に折り曲げて形成される。第２係止部４ｂは、器具本体２の一部をスライド方向と直交する方向に沿って切り起し、且つ、器具本体２の表面と並行するように折り曲げて形成される。このようにケース１０の一部及び器具本体２の一部を折り曲げ加工することによって保持部が形成されているので、別途の部材を必要とせずに保持部を設けることができる。
【００３２】
また、ケース１０のスライド方向に沿って第１係止部３ｂを器具本体２の表面に複数組設けることで、長手方向の長さ寸法が異なるケース１０を器具本体２の表面に係止することができる。このため、長手方向の長さ寸法が異なるケース１０を保持する光源点灯装置１であっても器具本体２に着脱することができる。
【００３３】
また、ロール状に折り曲げて形成された第１突出部３ａと第１係止部３ｂとがケース１０をスライド移動させる方向に沿って配置され、第１係止部３ｂの下端及び第１突出部３ａの上端は器具本体２の表面に平行するように設けられている。このような構造にすることにより光源点灯装置１をスライド移動させて取り付けることができるため、光源点灯装置１を器具本体２に着脱することが容易に行える。突出部４ｃが穴４ｄに嵌合することにより、照明器具が振動しても光源点灯装置１が器具本体２から長手方向にずれにくくなる。また、光源点灯装置１を器具本体２に取り付ける際に、例えばネジ等の別途の部材が必要ないので、照明器具の製造時や光源点灯装置１の交換等のメンテナンス作業時に、光源点灯装置１を器具本体２に取り付けるための工具が不要である。そのため、光源点灯装置１を器具本体２に取り付ける作業時間が短くて済む。
【００３４】
（実施形態２）
以下、本実施形態の照明器具について図５に基づいて説明する。尚、以下の説明では図５（ｂ）に示す向きを基準として上下左右の方向を規定し、図５（ａ）における左右方向を前後方向として説明するが、この方向は説明の便宜上定義するものであり、実際の使用状態での方向を上記の方向に限定するものではない。例えばこの照明器具が天井材の下面に取り付けられた状態では、図５（ｂ）の上側が施工状態での下側、図５（ｂ）の下側が施工状態での上側となる。
【００３５】
実施形態１では左右の側板部１２ｂの両方に第１突出部３ａが設けられていた。それに対して本実施形態では、右側の側板部１２ｂのみに第１突出部３ａが設けられており、左側の側板部１２ｂには第１突出部３ａが設けられておらず、平坦面に形成されている。
【００３６】
器具本体２には、器具本体２の左側端部を器具本体２の長手方向に沿って器具本体２の表面と直交するように折り曲げて形成された壁２０が設けられている。
【００３７】
第１係止部３ｂは、ケース１０の幅寸法（左右方向の寸法）に対応した間隔で壁２０と対向するように器具本体２の表面に設けられている。他の構成は、実施形態１で説明した照明器具の構成と同様であるので、共通する構成要素には同一符号を付して説明は省略する。また図５（ａ）では、ケース１０及び器具本体２において長手方向右側の端部（第２突出部４ａ及び第２係止部４ｂ付近）は、実施形態１で説明した照明器具の構成と同様であるので省略している。
【００３８】
ここでケース１０を器具本体２に取り付ける方法を説明する。器具本体２の上面にケース１０を載せ、第２突出部４ａ側から壁２０と第１係止部３ｂとの間にケース１０を挿入し、壁２０に沿ってケース１０をスライド移動させる。ケース１０を所定の取り付け位置までスライド移動させると、第１突出部３ａは、第１係止部３ｂと器具本体２の表面との間に挿入される。このとき、壁２０が左側の側板部１２ｂの全面に当接するとともに、第１係止部３ｂがケース１０の側板部１２ｂに当接してケース１０の左右方向の位置を規制する。このとき、第１係止部３ｂは第１突出部３ａにも上側から当接してケース１０の上下方向の位置を規制する。
【００３９】
ところで、光源点灯装置１の種類によってケース１０の長手方向の長さが異なる場合がある。そこで、長さの異なる複数のケース１０が取り付け可能なように、第１係止部３ｂをスライド方向に並べて複数設けてもよい。第１係止部３ｂと第２係止部４ｂとの間隔は、対応するケース１０の長手方向の長さ寸法に応じて設定される。複数ある第１係止部３ｂのうち、取り付け対象のケース１０に対応した位置にある第１係止部３ｂが第１突出部３ａを係止することで、ケース１０は器具本体２に係止される。
【００４０】
このように、本実施形態では、器具本体２に壁２０を設けることにより、ケース１０の右側の側板部１２ｂのみに第１突出部３ａを設けるだけでよい。第１突出部３ａを器具本体２に設けられた第１係止部３ｂで係止し、ケース１０の左側の側板部１２ｂを壁２０に当接させることでケース１０を器具本体２の表面に係止する。ケース１０を器具本体２の表面に係止するために必要な部位がケース１０及び器具本体２に形成されているため、ケース１０を器具本体２に取り付ける際に別途の部品を必要としない。また、ケース１０に設けられた突出部４ｃの穴４ｄが器具本体２に設けられた突出部４ｃに嵌合することで、スライド方向においてケース１０が位置決めされるから、ケース１０の位置ずれを低減できる。
【００４１】
壁２０は、器具本体２の一部をスライド方向に沿って、器具本体２の表面と直交するように折り曲げて形成される。器具本体２の一部を折り曲げて壁２０を形成することで、別途の部材を必要とせずに壁部を設けることができる。
【００４２】
また、ケース１０の両側面を第１係止部３ｂによって係止する実施形態１に比べて、本実施形態では、第１係止部３ｂと壁２０とによってケース１０を両側から係止しているため、ケース１０の幅方向における安定度は実施形態１と変わらない。
【符号の説明】
【００４３】
１  光源点灯装置
１０  ケース
１１  回路基板（点灯回路）
１２  カバー
１２ａ  覆い部
１２ｂ  側板部
１２ｃ  側板（覆い部）
１２ｄ  平板部（覆い部）
１２ｅ  傾斜部（覆い部）
１３  ボディ
１３ａ  底板（ボディ）
１３ｂ  側板（ボディ）
２  器具本体
２０  壁
３ａ  第１突出部
３ｂ  第１係止部
４ａ  第２突出部
４ｂ  第２係止部
４ｃ  突出部
４ｄ  穴
【図１】
2014127350.tif 000003
【図２】
2014127350.tif 000004
【図３】
2014127350.tif 000005
【図４】
2014127350.tif 000006
【図５】
2014127350.tif 000007